(57)【特許請求の範囲】
【請求項１】
それぞれパチンコ玉を貯留する貯留タンクを備える複数の島で島列を形成するとともに、
隣接する各島間に玉バランス通路が設けられ、
各島には、制御装置が設けられるとともに、
パチンコ玉を回収する計数機が必要に応じて設けられ、
前記制御装置は、通信線により他の島の制御装置と接続され、
パチンコ島間の玉量の平準化を行うために、
一の島の制御装置がパチンコ玉の供給要求信号または排出要求信号を出力し、
これに基づいて
玉バランス通路を介して隣接する島から当該一の島へパチンコ玉の供給を受け、
または、当該一の島から隣接する島へパチンコ玉を排出するよう構成したパチンコ玉を移動させるよう構成した玉循環制御装置であって、
前記一の島の制御装置は、
当該一の島に計数機の有無、及び計数機にパチンコ玉が投入中か否か、のチェックを行い、
次いで隣接する島から当該一の島へパチンコ玉が移動中か否か、のチェックを行い、
該一の島の計数機にパチンコ玉が投入中で、且つ、
隣接する島から当該一の島へパチンコ玉が移動している状態のとき、
或いは、
該一の島の計数機にパチンコ玉が投入中で、且つ、
隣接する島から当該一の島へパチンコ玉が移動していない状態で、且つ、
前記貯留タンクの貯留量が規定量以上の状態のときには、
前記排出要求信号を出力することを特徴とする玉循環制御装置。
【発明の詳細な説明】
【技術分野】
【０００１】
本発明は、パチンコ島内あるいはパチンコ島間でパチンコ玉を循環させる玉循環制御装置に関する。
【背景技術】
【０００２】
パチンコ店ではパチンコ台を並べたパチンコ島（以下、単に島という）を複数配置し、所定のパチンコ島には遊技客が獲得した景品玉を数える計数機を設置して、パチンコ玉の返却を受けるようになっている。
ここで遊戯した島の計数機へ返却されれば、島におけるパチンコ玉の貯留量はほぼ安定することになるが、混雑等によって必ずしも遊戯した島の計数機へ返却されるとは限らないため、島間での貯留量バランスが崩れ、島によっては玉不足になるなどの問題が発生する。
この対策として、例えば、特許文献１に玉均等装置が提案されている。
【０００３】
この装置では、各島の貯留タンクに貯留量を検知するセンサー装置と、開閉シャッターを有する小型タンクとを設けるとともに、島間には小型タンクをつなぐ玉通路を設けて、貯留タンク内のパチンコ玉が所定の下限量より少なくなるとセンサー装置から要求信号が出て、開閉シャッターが制御されて多い側から不足の側へパチンコ玉を供給するものとしている。
【０００４】
上記特許文献１に示されている装置では、貯留タンク内のパチンコ玉が所定の下限量に至らない間は、島間のパチンコ玉の移動は行われない。例えば、遊技客が偏在し、島によって使用されていないパチンコ台が多い場合には、当該島の貯留タンク内のパチンコ玉が減らないから、センサー装置から要求信号は出力されない。
一方、貯留タンクがいわゆる満タン状態となったときは隣接の島へ排出を行うが、この場合、検知された貯留量が上限限度量になった時点で排出を行うようになっているだけである。
【０００５】
ところで、貯留タンクが満タン状態となっていなくても、隣接の島から排出されるパチンコ玉を受け入れるときや、自島の計数機へパチンコ玉が返却されたときなどには、自島における貯留タンクの貯留量が急増することが予想される。しかしながら、上記従来の装置では予想される貯留量の急増に対しては何らの対処もなされず、満タン状態になるまでは排出準備に入らないので、島間の玉量の平準化処理に遅れを生じるおそれがあった。
【０００６】
また、島の内部構造としては、例えば、特許文献２に示されたものがある。特許文献２に示された島は、貯留タンクに貯留されたパチンコ玉は排出装置が必要に応じて作動することにより島の下部に設けた回収樋上へ排出されて揚送装置へ誘導され、揚送装置によって磨かれながら島の上部に揚送されて補給樋を介して各パチンコ台へ供給される構成とし、また、計数機に投入されたパチンコ玉も回収樋上を流れる構成としている。
【０００７】
しかしながら、上記特許文献２に示す島の構成では、排出装置が作動して貯留タンク内のパチンコ玉が回収樋へ排出されているときに、計数機へパチンコ玉が投入されると、当該計数機へ投入されたパチンコ玉の回収処理に遅れが生じ、パチンコ玉が回収樋上に滞留していき、最終的には計数機から溢れてしまうおそれがあった。
【０００８】
また、島間の玉量の平準化処理が遅れるなどして貯留タンク内が空の状態となってしまった場合、その後貯留タンク内へ流下するパチンコ玉は貯留タンクの底面に直接衝突してしまい、タンクが破損したり騒音を発したりするという問題があった。
【特許文献１】実開平５−８６３８３号公報
【特許文献２】特開平１１−２３５４５７号公報
【発明の開示】
【発明が解決しようとする課題】
【０００９】
したがって、本発明は、上記の問題点に鑑み、特定の島の貯留タンクの貯留量が急増することがあっても、島間のパチンコ玉貯留量のバランスを速やかに確保できるようにした玉循環制御装置を提供することを目的とする。また、本発明は、計数機に投入されたパチンコ玉を迅速に回収処理することができるようにした玉循環制御装置を提供することを目的とする。また、本発明は、貯留タンクの破損を防止することができるようにした玉循環制御装置を提供することを目的とする。
【課題を解決するための手段】
【００１０】
このため、本発明にかかる請求項１記載の玉循環制御装置は、それぞれパチンコ玉を貯留する貯留タンクを備える複数の島で島列を形成するとともに、隣接する各島間に玉バランス通路が設けられ、各島には、制御装置が設けられるとともに、パチンコ玉を回収する計数機が必要に応じて設けられ、制御装置は、通信線により他の島の制御装置と接続され、パチンコ島間の玉量の平準化を行うために、一の島の制御装置がパチンコ玉の供給要求信号または排出要求信号を出力し、これに基づいて玉バランス通路を介して隣接する島から当該一の島へパチンコ玉の供給を受け、または、当該一の島から隣接する島へパチンコ玉を排出するよう構成したパチンコ玉を移動させるよう構成した玉循環制御装置であって、一の島の制御装置は、当該一の島に計数機の有無、及び計数機にパチンコ玉が投入中か否か、のチェックを行い、次いで隣接する島から当該一の島へパチンコ玉が移動中か否か、のチェックを行い、該一の島の計数機にパチンコ玉が投入中で、且つ、隣接する島から当該一の島へパチンコ玉が移動している状態のとき、或いは、該一の島の計数機にパチンコ玉が投入中で、且つ、隣接する島から当該一の島へパチンコ玉が移動していない状態で、且つ、貯留タンクの貯留量が規定量以上である状態のときには、排出要求信号を出力するものとした。
【発明の効果】
【００１３】
本発明の請求項１によれば、他の島から自島へパチンコ玉が移動中で且つ計数機にパチンコ玉が投入中という、通常より貯留タンクの貯留量が急増する状態では、他の島へパチンコ玉を排出するので、貯留量の急増を防止しながら隣接の島へパチンコ玉を移動させ、パチンコ島間の玉量の平準化を迅速に行うことができる。
【発明を実施するための最良の形態】
【００１６】
次に、本発明の実施の形態について説明する。
図１は実施の形態における島の側面図、図２は島の接続構成を示す図である。
複数の島３０（３０Ａ〜３０Ｅ）を並べて島列１０として、両端の３０Ａ、３０Ｅを親島とし、その間に挟まれて３０Ｂ、３０Ｃ、３０Ｄを子島としてある。島の数は任意であるが、ここでは５つの例を示している。
以下、親島あるいは子島に限定しないときは単に「島」と言う。
島３０は、複数のパチンコ台３２を横方向に並べて１面とするとともに、同様の面を背中合わせにして構成されている。島端には適宜に計数機１２が設けられている。
島３０の中央部にはパチンコ玉を研磨しながら上部タンク４０へ揚送する揚送装置３９が設置され、パチンコ台列の下部にはパチンコ玉を貯留する貯留タンク３４が設けられている。
【００１７】
貯留タンク３４の揚送装置側の一端には排出シャッター３６が設けられている。この排出シャッター３６が開くことにより貯留タンク３４内のパチンコ玉を排出する排出状態となり、排出したパチンコ玉を回収樋３８を通して揚送装置３９へ供給する。また、排出シャッター３６が閉じられると貯留タンク３４内のパチンコ玉が排出されない非排出状態となる。
上部タンク４０からは島３０の長手方向に補給樋４４、４４が延びて、詳細は図示省略するが各パチンコ台３２へパチンコ玉を補給する。また、上部タンク４０の容量を超えてあふれたパチンコ玉は、島３０の中央部に設けられたオーバーフロー管から貯留タンク３４へ回収されるようになっている。なお、このオーバーフロー管は不図示であるが、図１上において揚送装置３９の奥側に設けられている。
また、計数機１２に受け入れられたパチンコ玉は回収樋６８を経て揚送装置３９へ回収される。回収樋６８には計数機へのパチンコ玉投入を検知する計数機センサ７６が設けられている。
【００１８】
親島、子島とも、パチンコ台を横方向に並べたパチンコ台列を背中合わせにして構成されているが、親島３０Ａ、３０Ｅは２面のパチンコ台列間の間隔を子島の場合よりも大きくして、そのパチンコ台列間に例えば子島の貯留タンクを２組収容するなどして貯留タンク３４を大容量に構成している点が異なる。必要に応じて揚送装置も２組備える。
【００１９】
各貯留タンク３４にはパチンコ玉の貯留量を検出する複数の貯留量センサ７４が付設され、何個の貯留量センサ７４がパチンコ玉を検知しているかで貯留量を５つのレベルで表わし、レベル０は空に近い下限値、レベル４は満杯に近い上限値に対応し、その間を４分した値にレベル１、レベル２、レベル３が昇順に対応している。
上述した構成の複数の島３０（３０Ａ〜３０Ｅ）が、図２に示すように配置される。
それぞれ隣接する島３０間に、島間でのパチンコ玉貯留量のバランスをとるためパチンコ玉を移動させる樋状の玉バランス通路５０が設けられている。
【００２０】
図３は、玉バランス通路５０の設置状態を示す部分図である。
玉バランス通路５０は隣接する島３０間ごとにそれぞれ上下に傾斜させて２本ずつ設けられる。玉バランス通路５０の一方は例えば島３０Ｂの上部タンク４０の上部から隣接の例えば島３０Ｃの上部タンク４０の下部へ掛け渡され、他方の玉バランス通路５０は逆に島３０Ｃの上部タンク４０の上部から島３０Ｂの上部タンク４０の下部へ掛け渡されている。上部タンク４０の上部にはバランスシャッター４６が設けられて、玉バランス通路５０の高位置側の端部と上部タンク４０内部とを連通可能とされ、玉バランス通路５０の低位置側の端部は上部タンク４０内部と常時連通している。
【００２１】
島３０は、図２に示すように、それぞれ制御装置７０（７０Ａ、７０Ｂ、７０Ｃ、７０Ｄ、７０Ｅ）を備えるとともに、各島の制御装置７０間は互に通信線７２を介して接続している。島列端の親島３０Ａ、３０Ｅと直接隣接していない子島でも、その制御装置は通信線７２を介して各親島の制御装置７０Ａ、７０Ｅとも接続している。
各制御装置７０には、貯留タンク３４の貯留量センサ７４が接続されるとともに、計数機１２を備える島３０Ａ、３０Ｃ、３０Ｅにおいては当該計数機へのパチンコ玉投入を検知する計数機センサ７６も接続されている。
また制御対象として排出シャッター３６、上部タンク４０における玉バランス通路５０のバランスシャッター４６が制御装置７０に接続されている。
なお、制御装置７０と貯留量センサ７４、その他の制御対象との信号線は、島３０Ｃについてのみ図示した。
なお、島３０内の構成について、個別の島の部位を特定する場合には参照番号にＡ〜Ｅの符号を付して説明する。
【００２２】
通常は、揚送装置３９は常時駆動されており、個別のパチンコ台３２に投入されたパチンコ玉は揚送装置３９へ戻されて、上部タンク４０−パチンコ台３２−揚送装置３９−上部タンク４０の順に循環している。上部タンク４０をオーバーフローしたパチンコ玉は貯留タンク３４に貯留される一方、不足してくると排出シャッター３６を開いて、貯留タンク３４から揚送装置３９へパチンコ玉が補給される。
但し、このとき計数機センサ７６により計数機１２にパチンコ玉が投入中であると検知されていると、貯留タンク３４の排出シャッター３６は開かずに計数機１２に投入されたパチンコ玉のみが揚送装置３９へ補給される。このような処理を行うことにより、計数機１２に投入されたパチンコ玉を優先して揚送装置３９へ供給して迅速に回収処理を行うことができるので、大量のパチンコ玉が計数機１２に投入されてもパチンコ玉が溢れたりすることがない。
また、貯留タンク３４の貯留量がレベル０であるときも、貯留タンク３４の排出シャッター３６が開かないように制御している。貯留量がレベル０の状態となった当初は、少なくとも貯留タンク３４底面にパチンコ玉が残っている状態であり、この状態となってからは排出シャッター３６が開かないようにして貯留量が減少しないように制御すれば、貯留タンク内が完全に空の状態となることがない。そうすると、その後上部タンク４０をオーバーフローしたパチンコ玉が貯留タンク内へ流下しても、貯留タンク３４の底面にパチンコ玉が直接衝突することがないので、タンクの破損や騒音の発生を防止することができる。
【００２３】
次に島間のバランス制御についての第１の実施例を説明する。
各島３０の制御装置７０はそれぞれの貯留量センサ７４からの信号を監視している。例えば、貯留タンク３４の貯留量が所定のレベルまで減少していることを検出すると、他の島の制御装置と通信して隣接するいずれかの島へ向けた方向供給要求のフラグを立てる。供給要求された島では、パチンコ玉を供給可能な場合はそのバランスシャッター４６を開いて上部タンク４０から玉バランス通路５０を通して供給を行う。
また、制御装置７０は貯留タンク３４の貯留量が所定のレベルまで増大していることを検出すると、隣接するいずれかの島へ向けた方向排出要求のフラグを立て、当該フラグが示す方向に隣接する島が排出受け可能な場合は自島のバランスシャッター４６を開いて上部タンク４０から玉バランス通路５０を通して隣接する島へ排出する。
【００２４】
隣接する島へ供給または排出を行う島は、通常自島のバランスシャッター４６を開くと共に貯留タンク３４の排出シャッター３６を開いて、貯留タンク３４から排出したパチンコ玉を揚送装置３９によって上部タンク４０へ揚送して玉バランス通路５０を通して隣接する島へ供給、排出を行うようにしている。しかし、計数機センサ７６により計数機１２にパチンコ玉が投入中であると検知されているときは、貯留タンク３４の排出シャッター３６は開かずに計数機１２に投入されたパチンコ玉のみが揚送装置３９を経て上部タンクから玉バランス通路５０を通して隣接島へ供給、排出される。
このような処理を行うことにより、計数機１２に投入されたパチンコ玉を優先して揚送装置３９へ供給して迅速に回収処理を行うことができるので、大量のパチンコ玉が計数機１２に投入されてもパチンコ玉が溢れたりすることがない。
【００２５】
子島の制御装置７０は隣接の子島並びに親島の制御装置と通信することにより、他の島の貯留タンク３４の貯留量、その他の情報を入手することができる。
その他の情報として、隣接の島におけるバランスシャッター４６の開制御信号をチェックすることにより当該隣接の島から自島へパチンコ玉の供給または排出を受けている状態であることを検知する。
【００２６】
以下に、バランス制御の詳細を説明する。
バランス制御の前提として、各子島の制御装置７０は、子島自体の状態チェックを常時行っている。
図４はこの状態チェックの流れを示すメインフローチャートである。
まず、ステップ１００において、貯留量が低下して自島にパチンコ玉補給が必要な状態、すなわち供給要求状態にあるかどうかのチェックを行う。
そして供給要求状態にあるときは、ステップ１０１において、自島に隣接する島のどちらに供給要求を行うかの供給要求方向の選択を行う。
次に、ステップ１０２では、隣接の島から供給要求を受けたときにパチンコ玉の供給が可能であるかどうかについてのチェックを行う。
【００２７】
ステップ１０３では、貯留量が増大して排出が必要な状態、すなわち排出要求状態にあるかどうかのチェックを行う。
そして排出要求状態にあるときは、ステップ１０４において、自島に隣接する島のどちらに排出要求を行うかの排出要求方向の選択を行う。
最後に、ステップ１０５では、隣接の島から排出要求を受けたときにパチンコ玉の排出を受けることが可能であるかどうかについてのチェックを行う。
各子島では上記フローを繰り返す。
【００２８】
図５は、ステップ１００における供給要求状態チェックの詳細を示すフローチャートである。
まず、ステップ１１０において、貯留量センサ７４により自島の貯留タンク３４の貯留量がレベル２以下であるかどうかをチェックする。
そして、貯留量がレベル２以下の低い状態にあるときは、ステップ１１１へ進んで、供給要求状態にあることを示す供給要求状態フラグを立てる（供給要求状態ＦＬＡＧ＝１）。一方、貯留量がレベル３以上の多い状態にあるときは、ステップ１１２へ進んで、供給要求状態フラグをリセットする（供給要求状態ＦＬＡＧ＝０）。
【００２９】
図６は、ステップ１０１における供給要求方向選択の詳細を示すフローチャートであり、供給要求状態フラグが立てられたときに実行される。
ここでは、まずステップ１２０において、島列１０両端の親島の制御装置７０Ａ、７０Ｅと通信を行い、それぞれの貯留タンク３４の貯留量情報を入手し、図２における左端の親島３０Ａの貯留量と右端の親島３０Ｅの貯留量とを比較する。
左端の親島３０Ａの貯留量のレベルの方が多いときはステップ１２２へ進み、左方向に隣接する島へ供給を要求することを示す左方向供給要求フラグを立てる（左方向供給要求ＦＬＡＧ＝１）。
右端の親島３０Ｅの貯留量のレベルの方が多いときはステップ１２３へ進み、右方向に隣接する島へ供給を要求することを示す右方向供給要求フラグを立てる（右方向供給要求ＦＬＡＧ＝１）。
【００３０】
両親島３０Ａ、３０Ｅの貯留量が同レベルであるときはステップ１２１へ進む。
ステップ１２１では、親島３０Ａ、３０Ｅまでの距離を比較する。ここで、各親島までの距離は、自島と当該親島との間の島の数で表すものとする。
子島３０Ｂのように左端の親島３０Ａまでの距離の方が近いときにはステップ１２２へ進み、左方向供給要求フラグを立てる。
子島３０Ｃのように左端の親島３０Ａまでの距離と右端の親島３０Ｅまでの距離とが同じであるとき、あるいは子島３０Ｄのように右端の親島３０Ｅまでの距離の方が近いときにはステップ１２３へ進み、右方向供給要求フラグを立てる。
なお、左方向供給要求フラグを立てるときは、同時に右方向供給要求フラグはリセットされ、右方向供給要求フラグを立てるときは、左方向供給要求フラグはリセットされる。
以上により、供給要求方向の選択においてはチェック事項に優先順を設け、まず貯留量の多い親島がある方向とし、貯留量が同レベルのときは、左端の親島が近いときだけ左方向供給要求フラグを立て、この場合を除いては右方向からの供給を求めるものとなる。
【００３１】
図７は、ステップ１０２における供給可状態チェックの詳細を示すフローチャートである。
すなわち、ステップ１３０では、まず自島に計数機１２がある場合、計数機センサ７６によりその計数機にパチンコ玉が投入中であるかどうかをチェックする。
自島に計数機１２が設置されておらず、あるいは計数機があってもパチンコ玉の投入中でなければ、ステップ１３１へ進んで、隣接の島からパチンコ玉の供給または排出を受けている状態かどうかをチェックする。
ステップ１３０のチェックで計数機１２にパチンコ玉が投入中であるとき、またはステップ１３１のチェックで隣接の島からパチンコ玉の供給または排出を受けているときは、ステップ１３２へ進む。
【００３２】
ステップ１３２では、自島の貯留タンク３４の貯留量がレベル２以上であるかどうかをチェックする。そして、貯留量がレベル２以上であるときは、ステップ１３４へ進んで、自島が隣接の島へパチンコ玉供給可能な状態であることを示す供給可状態フラグを立てる（供給可状態ＦＬＡＧ＝１）。
一方、貯留量がレベル１以下であるときは、ステップ１３５へ進んで、パチンコ玉供給可能な状態ではないとして、供給可状態フラグをリセットする（供給可状態ＦＬＡＧ＝０）。
ステップ１３１のチェックで隣接の島からパチンコ玉の供給または排出を受けていないときは、ステップ１３３へ進む。
【００３３】
ステップ１３３では、自島の貯留タンク３４の貯留量がレベル３以上であるかどうかをチェックする。そして、貯留量がレベル３以上であるときは、ステップ１３４へ進んで、供給可状態フラグを立てる。
一方、貯留量がレベル２以下であるときは、ステップ１３５へ進んで、パチンコ玉供給可能な状態ではないとして、供給可状態フラグをリセットする。
【００３４】
図８は、ステップ１０３における排出要求状態チェックの詳細を示すフローチャートである。
まず、ステップ１４０において、自島に計数機１２がある場合、その計数機にパチンコ玉が投入中であるかどうかをチェックする。
計数機１２にパチンコ玉が投入中であるときは、ステップ１４６へ進んで、隣接の島からパチンコ玉の供給または排出を受けている状態かどうかをチェックする。
ステップ１４６のチェックで隣接の島からパチンコ玉の供給または排出を受けているときは、ステップ１４４へ進んで、自島から隣接の島へのパチンコ玉排出要求状態にあることを示す排出要求状態フラグを立てる（排出要求状態ＦＬＡＧ＝１）。
【００３５】
ステップ１４０のチェックで自島に計数機１２が設置されておらず、あるいは計数機があってもパチンコ玉の投入中でなければ、ステップ１４１へ進んで、隣接の島からパチンコ玉の供給または排出を受けている状態かどうかをチェックする。
ステップ１４１のチェックで隣接の島からパチンコ玉の供給または排出を受けているとき、またはステップ１４６のチェックで隣接の島からパチンコ玉の供給または排出を受けていないときは、ステップ１４２へ進む。
【００３６】
ステップ１４２では、自島の貯留タンク３４の貯留量がレベル３以上であるかどうかをチェックする。そして、貯留量がレベル３以上であるときは、ステップ１４４へ進んで、排出要求状態フラグを立てる。
一方、貯留量がレベル２以下であるときは、ステップ１４５へ進んで、パチンコ玉の排出要求の状態ではないとして、排出要求状態フラグをリセットする（排出要求状態ＦＬＡＧ＝０）。
【００３７】
ステップ１４１のチェックで隣接の島からパチンコ玉の供給または排出を受けていないときは、ステップ１４３へ進んで、自島の貯留タンク３４の貯留量がレベル４以上であるかどうかをチェックする。
そして、貯留量がレベル４以上であるときは、ステップ１４４へ進んで、排出要求状態フラグを立てる。一方、貯留量がレベル３以下であるときは、ステップ１４５へ進んで、排出要求状態ではないとして、排出要求状態フラグをリセットする。
【００３８】
図９は、ステップ１０４における排出要求方向選択の詳細を示すフローチャートであり、排出要求状態フラグが立てられたときに実行される。
まず、ステップ１５０において、両端の親島３０Ａ、３０Ｅまでの距離を比較する。
左端の親島３０Ａまでの距離の方が近いときにはステップ１５２へ進み、右端の親島３０Ｅまでの距離の方が近いときにはステップ１５３へ進み、同距離であるときはステップ１５１へ進む。
ステップ１５２では、自島から左方向に隣接する島へ排出要求を行うことを示す左方向排出要求フラグを立てる（左方向排出要求ＦＬＡＧ＝１）。
ステップ１５３では、自島から右方向に隣接する島へ排出要求を行うことを示す右方向排出要求フラグを立てる（右方向排出要求ＦＬＡＧ＝１）。
【００３９】
ステップ１５１では左端の親島３０Ａの貯留量と右端の親島３０Ｅの貯留量とを比較して、貯留量が同レベルまたは左端の親島３０Ａの貯留量のレベルの方が少ないときは、ステップ１５２へ進んで左方向排出要求フラグを立て、右端の親島３０Ｅの貯留量のレベルの方が少ないときはステップ１５３へ進んで右方向排出要求フラグを立てる。
なお、左方向排出要求フラグを立てるときは、同時に右方向排出要求フラグはリセットされ、右方向排出要求フラグを立てるときは、左方向排出要求フラグはリセットされる。
【００４０】
図１０は、ステップ１０５における、隣接の島からの排出受け可否チェックの詳細を示すフローチャートである。
まずステップ１８０において、自島に計数機１２があって、その計数機にパチンコ玉が投入中である状態かをチェックする。
計数機１２にパチンコ玉が投入中でないときは、ステップ１８１へ進み、自島から隣接する島へ供給または排出中であるかどうかをチェックする。
隣接する島へ供給または排出中であるときは、ステップ１８４へ進み、自島へのパチンコ玉排出を受けることが可能であることを示す排出受け可状態フラグを立てる（排出受け可状態ＦＬＡＧ＝１）。
【００４１】
隣接する島へ供給または排出中でないときは、ステップ１８２へ進み、自島の貯留タンクの貯留量がレベル４以上であるかどうかをチェックする。
貯留量がレベル４以上であるときは、ステップ１８５へ進み、排出受け可状態フラグをリセットする（排出受け可状態ＦＬＡＧ＝０）。
貯留量がレベル３以下であるときは、ステップ１８４へ進んで排出受け可状態フラグを立てる。
ステップ１８０のチェックで計数機１２にパチンコ玉が投入中であるときは、ステップ１８３へ進み、自島の貯留タンク３４の貯留量がレベル３以上であるかどうかをチェックする。
貯留量がレベル３以上であるときはステップ１８５へ進んで排出受け可状態フラグをリセットし、貯留量がレベル２以下であるときはステップ１８４へ進んで排出受け可状態フラグを立てる。
【００４２】
各子島３０Ｂ、３０Ｃ、３０Ｄでは上記フローを繰り返しており、状態に応じてそれぞれのフラグを立て、あるいはリセットしている。したがって子島は通信により隣接の島のフラグをチェックすることにより、当該隣接する島の方向を含めた供給要求状態の有無、供給可能状態か否か、方向を含めた排出要求状態の有無、および排出受け可能状態か否かの各状態を確認することができる。
なお、上記フローでは、各状態の検出を一連の流れで順次におこなうものとしているが、各状態の別ごとにそれぞれ並行して実行するようにしてもよい。
【００４３】
つぎに、各親島３０Ａ、３０Ｅの制御装置７０Ａ、７０Ｅも、自島の状態チェックを常時行っている。親島では、子島へのパチンコ玉供給が可能な状態にあるか、また子島からのパチンコ玉排出を受けることが可能な状態にあるかの状態チェックを行う。
図１１は親島におけるパチンコ玉供給が可能な状態にあるかのチェックの流れを示すフローチャートである。
まずステップ１９０において、親島は自島の貯留タンク３４の貯留量がレベル１以上であるかどうかをチェックする。
貯留量がレベル１以上であるときは、ステップ１９１へ進み、子島へのパチンコ玉供給が可能であることを示す供給可状態フラグを立てる（供給可状態ＦＬＡＧ＝１）。
貯留量がレベル１に満たないときは、ステップ１９２へ進み、供給可状態フラグをリセットする（供給可状態ＦＬＡＧ＝０）。
【００４４】
図１２は親島における排出受けが可能な状態にあるかのチェックの流れを示すフローチャートである。
ステップ１９３において、自島の貯留タンク３４の貯留量がレベル３以下であるかどうかをチェックする。
そして、貯留量がレベル３以下であるときは、ステップ１９４へ進み、隣接の子島からのパチンコ玉排出受けが可能であることを示す排出受け可状態フラグを立てる（排出受け可状態ＦＬＡＧ＝１）。
貯留量がレベル４に達しているときは、ステップ１９５へ進み、排出受け可状態フラグをリセットする（排出受け可状態ＦＬＡＧ＝０）。
【００４５】
各親島３０Ａ、３０Ｅでは上記フローを繰り返しており、状態に応じてそれぞれのフラグを立て、あるいはリセットしているから、子島は通信により親島のフラグをチェックすることにより、当該親島の状態を確認することができる。
なお、島列１０の一端にしか親島がないときには、子島において供給要求方向の選択はできないから、親島が設置された方向に固定となる。
また、親島、子島を問わず一の島の制御装置７０において立てられた各フラグは他の島の制御装置で通信により認識できるからそれぞれを出力信号とみなすことができる。したがってとくに、左方向排出要求フラグおよび右方向排出要求フラグはそれぞれ排出要求方向を含む排出要求信号となり、左方向供給要求フラグおよび右方向供給要求フラグはそれぞれ供給要求信号となる。そして、排出受け可状態フラグは排出受け可信号となる。
【００４６】
上記フローに基づくバランス制御の例を、貯留量が減少した場合について説明する。
ここでは、貯留量が減少して補給を必要とする島において方向供給要求フラグが立てられ、供給要求方向に隣接する島において供給可状態フラグが立っているという２つの条件が揃うと、当該隣接する島からパチンコ玉の供給が行われる。
例えば子島３０Ｄにおいて、自島の貯留タンク３４Ｄの貯留量がレベル２以下になると、供給要求状態フラグを立てる。（ステップ１１０→１１１）
このとき、左端の親島の貯留タンク３４Ａの貯留量がレベル３で、右端の親島の貯留タンク３４Ｅの貯留量がレベル２であるとすると、左方向供給要求フラグＦＬ１を立てる。（ステップ１２０→１２２）
【００４７】
子島３０Ｄの左方に隣接する子島３０Ｃでは、計数機１２Ｃにパチンコ玉が投入中でなく、また隣接する子島３０Ｂからの排出もない状態で、貯留タンク３４Ｃの貯留量がレベル２であるときは、供給可状態フラグを立てられない。（ステップ１３０→１３１→１３３→１３５）
制御装置７０Ｃは、子島３０Ｄの左方向供給要求フラグが立っていることを検知しても、自島の供給可状態フラグが立っていないから、自島のバランスシャッター４６は開かず、したがって図１３に禁止符号Ｘで示すように、子島３０Ｃから３０Ｄへパチンコ玉の供給は行われない。
【００４８】
一方、子島３０Ｃで計数機１２Ｃにパチンコ玉が投入中のときには、貯留量がレベル２であっても、供給可状態フラグＦＬ２を立てる。（ステップ１３０→１３２→１３４）
制御装置７０Ｃは、子島３０Ｄの左方向供給要求フラグＦＬ１が立っているとともに、自島の供給可状態フラグＦＬ２も立っているから、自島のバランスシャッターを開き、これにより図１４の（ａ）に黒塗り矢印で示すように、子島３０Ｃから３０Ｄへパチンコ玉の供給が行われる。
また、子島３０Ｃで隣接の島３０Ｂから排出または供給を受けているときも、貯留量がレベル２であっても、供給可状態フラグＦＬ２を立てる。（ステップ１３１→１３２→１３４）
したがってこの場合も、制御装置７０Ｃは自島のバランスシャッターを開き、これにより図１４の（ｂ）に黒塗り矢印で示すように、子島３０Ｃから３０Ｄへパチンコ玉の供給が行われる。
【００４９】
つぎに、貯留量が増大した場合について説明する。
ここでは、貯留量が増大して排出を必要とする島において方向排出要求フラグが立てられ、排出要求方向に隣接する島において排出受け可状態フラグが立っているという２つの条件が揃うと、当該隣接する島へパチンコ玉の排出が行われる。
例えば子島３０Ｃにおいて、計数機１２Ｃにパチンコ玉が投入中でなく、また隣接する島３０Ｂまたは３０Ｄからの供給または排出もない場合には、自島の貯留タンク３４Ｃの貯留量がレベル４以上にならないと、排出要求状態フラグは立たない。（ステップ１４０→１４１→１４３→１４５）
しかし、計数機１２Ｃにパチンコ玉が投入中であり、隣接する島３０Ｂまたは３０Ｄからの供給または排出がないときは、自島の貯留タンク３４Ｃの貯留量がレベル３以上になると排出要求状態フラグを立てる。（ステップ１４０→１４６→１４２→１４４）
【００５０】
そして、排出要求状態フラグを立てたときは、つぎに両端の親島３０Ａ、３０Ｅまでの距離が同じであるため、両親島の貯留量を比較する。ここで、左端の親島３０Ａの貯留量がレベル２で、右端の親島３０Ｅの貯留量がレベル３であるとすると、左端の親島３０Ａの貯留量の方が少ないので、左方向排出要求フラグＦＬ３を立てる。（ステップ１５０→１５１→１５２）
これに対応して、子島３０Ｃの左方に隣接する子島３０Ｂでは、隣接の親島３０Ａへ排出中でなければ、貯留量がレベル３以下であるときに、排出受け可状態フラグＦＬ４を立てる。（ステップ１８０→１８１→１８２→１８４）
【００５１】
子島３０Ｃの制御装置７０Ｃは、自島の左方向排出要求フラグＦＬ３が立っていることと、左方に隣接する子島３０Ｂの排出受け可状態フラグＦＬ４が立っていることの２つの条件が成立していると、図１５の（ａ）に示すように、当該左方に隣接の島３０Ｂへ向けた玉バランス通路５０へのバランスシャッター４６を開いてパチンコ玉を排出する。
なお、パチンコ玉の排出を開始した子島３０Ｃでは、子島３０Ｂへの排出により貯留タンク３４Ｃの貯留量が減少し、貯留量センサからの信号によって、貯留量が例えば１段下のレベル３に達したことが検出されると、制御装置７０Ｃは排出要求状態フラグと左方向排出要求フラグをリセットして、そのバランスシャッター４６を閉にし今回の排出を終了する。
【００５２】
子島３０Ｃでは、計数機１２Ｃにパチンコ玉が投入中でなくても、隣接の島３０Ｄからパチンコ玉の供給または排出を受けているときは、自島の貯留タンク３４Ｃの貯留量がレベル３以上になると排出要求状態フラグを立てる。（ステップ１４０→１４１→１４２→１４４）
したがってこの場合も、引き続いて左方向排出要求フラグＦＬ３が立てられ、図１５の（ｂ）に示すように、当該左方に隣接の島３０Ｂへ向けた玉バランス通路へのバランスシャッターを開いてパチンコ玉を排出する。
なお、計数機１２Ｃにパチンコ玉が投入中であり、隣接する島３０Ｂまたは３０Ｄからの供給または排出があるときには、自島の貯留タンク３４Ｃの貯留量のレベルに関係なく排出要求状態フラグを立てる。（ステップ１４０→１４６→１４４）
【００５３】
また、子島３０Ｂでは、貯留タンク３４Ｂの貯留量がレベル３以下でなくても、隣接の親島３０Ａへ排出中であるときは、排出受け可状態フラグＦＬ４を立てる。（ステップ１８０→１８１→１８４）
したがって、図１６の（ａ）に示すように、図１５の場合と同様に、子島３０Ｃから隣接の島３０Ｂへ向けてパチンコ玉を排出する。
【００５４】
一方、子島３０Ｂにおいて、隣接する親島３０Ａへ供給または排出中でなく、貯留量がレベル４のときには、排出受け可状態フラグは立たない。（ステップ１８０→１８１→１８２→１８５）
この場合は、子島３０Ｃの左方に隣接する島３０Ｂの排出受け可状態フラグが立っていないことにより、条件が成立しないので、図１６の（ｂ）に示すように、子島３０Ｃはパチンコ玉の排出を行わない。
子島３０Ｃでは自島における排出要求方向が変わって右方に隣接する子島３０Ｄへ排出可能になるか、あるいは左方に隣接する子島３０Ｂの排出受け可状態フラグＦＬ４が立つまで、排出を待つことになる。
なお、子島３０Ｂには計数機が備えてないが、計数機１２を備える島の場合には当該計数機にパチンコ玉が投入中のときは、貯留量がレベル３以上であるとき、排出受け可状態フラグを立てない。（ステップ１８０→１８３→１８５）
従ってこの場合も当該計数機１２を備える島への排出は行われない。
【００５５】
以上のようにして、貯留量が低い所定のレベルまで下がった島は隣の島からパチンコ玉が供給されて貯留量を増し、貯留量が高い所定のレベルまで増大した島は隣の島へパチンコ玉を放出して貯留量を減じて、アンバランスが改善される。
【００５６】
本実施例は以上のように構成され、
それぞれパチンコ玉を貯留する貯留タンク３４を備える複数の島３０で島列を形成するとともに、隣接する各島間に玉バランス通路５０が設けられ、
各島には、制御装置７０が設けられるとともに、パチンコ玉を回収する計数機１２が必要に応じて設けられ、
制御装置は７０、通信線７２により他の島の制御装置と接続され、
一の島の制御装置７０がパチンコ玉の左、右方向供給要求フラグ、または左、右方向排出要求フラグを立て、これに基づいて玉バランス通路５０を介して隣接する島から当該一の島へパチンコ玉を移動させるよう構成し、
上記一の島の制御装置７０は、（ａ）他の島から自島へパチンコ玉が移動している状態で、且つ自島の計数機１２にパチンコ玉が投入中のときには、左、右方向排出要求フラグを立てるものとした。
これにより、他の島から自島へパチンコ玉が移動中で且つ計数機にパチンコ玉が投入中という、貯留タンクの貯留量が自島内のパチンコ玉循環によるよりも急速に増大しつつある場合には、貯留量に関係なく排出要求を行うので、パチンコ島間の迅速な平準化が行われる。
【００５７】
また、上記一の島の制御装置７０は、（ｂ）他の島から自島へパチンコ玉が移動中でなく自島の計数機１２にパチンコ玉が投入されていない場合は、自島の貯留タンク３４の貯留量が満杯側の第１のレベル（レベル４）以上になったときに、左、右方向排出要求フラグを立てるものとし、（ｃ）他の島から自島へパチンコ玉が移動中で自島の計数機１２にパチンコ玉が投入されていない場合、または他の島から自島へパチンコ玉の移動中でなく自島の計数機１２にパチンコ玉が投入中の場合は、自島の貯留タンク３４の貯留量が第１のレベルより低い第２のレベル（レベル３）以上になったときに、左、右方向排出要求フラグを立てるものとした。
これにより、隣接の島からパチンコ玉の排出等を受けあるいは計数機１２へのパチンコ玉投入により、貯留タンクの貯留量が自島内のパチンコ玉循環によるよりも急速に増大しつつある場合には、貯留量が通常時の排出要求レベルである第１のレベルになるのを待つことなく、より低い第２のレベルに達した時点で排出要求を行うので、パチンコ島間の玉量の迅速な平準化が行われる。
【００５８】
また、上記一の島に隣接してパチンコ玉の排出を要求された島の制御装置７０は、（ｄ）一の島と反対側に隣接する他の島へパチンコ玉を排出または供給中でなく、かつ自島の計数機１２にパチンコ玉が投入中でない場合は、自島の貯留タンク３４の貯留量が所定の第３のレベル（レベル４）以上のときは、パチンコ玉の排出を受け入れる排出受け可状態フラグを立てず、（ｅ）自島の計数機１２にパチンコ玉が投入中の場合は、自島から他の島へパチンコ玉を排出または供給中か否かに関わらず、自島の貯留タンク３４の貯留量が第３のレベルより低い第４のレベル（レベル３）以上でも、排出受け可状態フラグを立てず、（ｆ）自島の計数機１２にパチンコ玉が投入中でなく、自島から他の島へパチンコ玉を排出または供給中である場合は、自島の貯留タンク３４の貯留量に関わらず、排出受け可状態フラグを立てて、上記一の島からのパチンコ玉の排出を受け入れるものとしている。
したがって、パチンコ玉の排出を受けるべき側でも、貯留タンク３４の貯留量が急速に増大しつつある場合には排出受け入れを制限する一方、貯留量が急速に減少している場合には直ちに排出を受け入れることにより、供給、排出の結果新たな不均衡が生じることを防止して、実効のある平準化が推進される。
【００５９】
一方、一の島が左、右方向供給要求フラグを立てたときの隣接する島の制御装置７０では、（ｇ）一の島と反対側に隣接する他の島から自島へのパチンコ玉の排出または供給を受けず、自島の計数機１２にパチンコ玉が投入中でもない場合は、自島の貯留タンク３４の貯留量が所定の第５のレベル（レベル３）以上あれば、自島から上記一の島へのパチンコ玉の供給を可能とし、（ｈ）他の島から自島へのパチンコ玉の排出または供給を受け、または自島の計数機１２にパチンコ玉が投入中である場合は、自島の貯留タンク３４の貯留量が第５のレベルより低い第６のレベル（レベル２）以上あれば、自島から一の島へのパチンコ玉の供給を可能として、玉バランス通路５０を介してパチンコ玉を供給するので、供給要求に応じてパチンコ玉を供給する側の島が極端な貯留量不足に陥ることもない。
【００６０】
とくに、排出要求にかかる左、右方向排出要求フラグは、大容量の貯留タンクを備えて島列の両端に配置した親島３０Ａ、３０Ｅを参照して、（ｊ）自島からの距離が近い親島側、（ｋ）貯留タンク３４の貯留量が少ない親島側、（ｍ）予め固定的に定めた側（左方向）、の優先順で選択することにより、左方向排出要求フラグを立てるか、右方向排出要求フラグを立てるか決定しているので、まず親島３０Ａ、３０Ｅまでの距離比較で決定することにより、パチンコ玉排出の影響を順次受ける可能性のある島の数を減らしている。
【００６１】
島３０には、貯留タンク３４から排出されたパチンコ玉または計数機１２へ投入されたパチンコ玉を島の上部へ揚送する揚送装置３９が設けられ、貯留タンク３４には、貯留タンク３４に貯留されたパチンコ玉を揚送装置３９へ排出する排出状態（開状態）と、排出しない非排出状態（閉状態）と、に切り換え可能な排出シャッター３６を備え、制御装置７０は、計数機１２にパチンコ玉が投入中のときには排出シャッター３６を非排出状態とするように制御するものとした。
これにより、計数機１２に投入されたパチンコ玉を優先して揚送装置３９へ供給して迅速に回収処理を行うことができるので、大量のパチンコ玉が計数機１２に投入されてもパチンコ玉が溢れたりすることがない。
【００６２】
また、上記制御装置７０は、貯留タンク３４の貯留量が下限量（レベル０）であるときには排出シャッター３６を非排出状態とするように制御するものとした。
これにより、貯留タンク３４内のパチンコ玉が完全に空の状態となることがなく、上部タンク４０をオーバーフローしたパチンコ玉が貯留タンク３４内へ流下しても、貯留タンク３４の底面にパチンコ玉が直接衝突することがないので、タンクの破損や騒音の発生を防止することができる。
【００６３】
つぎに、島間のバランス制御についての第２の実施例について説明する。これは、ステップ１０４における排出要求方向チェックにおいて、親島までの距離比較と貯留量比較の順序を入れ替えたものである。
図１７はその詳細を示すフローチャートである。
まず、ステップ１６０において、左端の親島３０Ａの貯留量と右端の親島３０Ｅの貯留量とを比較する。
左端の親島３０Ａの貯留量の方が少ないときはステップ１６２へ進み、左方向排出要求フラグを立てる。右端の親島３０Ｅの貯留量の方が少ないときはステップ１６３へ進み、右方向排出要求フラグを立てる。
また、両者の貯留量が同レベルであったときは、ステップ１６１へ進んで両端の親島３０Ａ、３０Ｅまでの距離を比較する。そして、右端の親島３０Ｅの方が近いときにはステップ１６３へ進み、左端の親島３０Ａの方が近く、あるいは同距離であるときは、ステップ１６２へ進む。
その他の構成は第１の実施例と同じである。
これによれば、主として貯留量の少ない親島方向へ排出されることになるので、第１の実施例に比較して全体としての平準化が一層促進される。
【００６４】
つぎに、島間のバランス制御についての第３の実施例について説明する。これはステップ１０４における排出要求方向チェックにおいて、計数機へのパチンコ玉投入の有無を排出方向選択の条件に含めたものである。
図１８はその詳細を示すフローチャートである。
ステップ１７０において、自島に計数機１２があって、その計数機にパチンコ玉が投入中である状態かをチェックする。
計数機１２にパチンコ玉が投入中であるときは、ステップ１７１において、両端の親島３０Ａ、３０Ｅまでの距離を比較する。
左端の親島３０Ａまでの距離の方が近いときにはステップ１７５へ進み、左方向排出要求フラグを立てる。
右端の親島３０Ｅまでの距離の方が近いときにはステップ１７６へ進み、右方向排出要求フラグを立てる。
両端の親島３０Ａ、３０Ｅまでが同距離であるときは、ステップ１７２へ進み、左端の親島３０Ａの貯留量と右端の親島３０Ｅの貯留量とを比較する。
左端の親島３０Ａの貯留量の方が少ないとき、または両者の貯留量が同レベルのときは、ステップ１７５へ進み左方向排出要求フラグを立てる。
右端の親島３０Ｅの貯留量の方が少ないときはステップ１７６へ進んで、右方向排出要求フラグを立てる。
【００６５】
一方、ステップ１７０のチェックで自島に計数機１２がなく、あるいは計数機があってもパチンコ玉の投入中でないときは、ステップ１７３へ進み、左端の親島３０Ａの貯留量と右端の親島３０Ｅの貯留量とを比較する。
左端の親島３０Ａの貯留量の方が少ないときは、ステップ１７５へ進み左方向排出要求フラグを立てる。
右端の親島３０Ｅの貯留量の方が少ないときはステップ１７６へ進んで、右方向排出要求フラグを立てる。
左端の親島３０Ａと右端の親島３０Ｅの貯留量が同レベルのときは、ステップ１７４へ進み、両端の親島までの距離を比較する。
左端の親島３０Ａの方が近いとき、または左端の親島３０Ａと右端の親島３０Ｅが同距離のときは、ステップ１７５へ進んで左方向排出要求フラグを立てる。
右端の親島３０Ｅの方が近いときには、ステップ１７６へ進んで右方向排出要求フラグを立てる。
その他の構成は第１の実施例と同じである。
【００６６】
これによれば、計数機１２へのパチンコ玉投入がある状態では、まず親島までの距離が近い方向を優先するので、急増する恐れのある排出パチンコ玉の影響を順次受けていく子島の数をできるだけ抑えることができる。
一方、計数機１２へのパチンコ玉投入がない場合には、貯留量の少ない親島方向を優先することにより、島列全体としての平準化が促進される。
【００６７】
なお、実施の形態において島３０の各種状態判断に用いたレベル値は例示であって、島列１０の構成や貯留タンク容量などに応じて適宜に設定することができる。
とくに、貯留量センサ７４が貯留タンク３４の貯留量をレベル１からレベル４の４つで表わすものとし、高い方のレベル４を第１のレベルおよび第３のレベルに対応させ、レベル３を第２のレベル、第４のレベルおよび第５のレベルに対応させ、レベル２を第６のレベルとして説明したが、貯留タンク３４の貯留量をさらに多段階に示す貯留量センサを用いる場合には、状態判断の基準値としての第１〜第６レベルは互いに異なる値に設定してもよい。
さらに、計数機へのパチンコ玉投入を検知する計数機センサ７６は、回収樋６８上でパチンコ玉が計数機センサ７６の位置まで滞留したときに検知する構成としてもよい。あるいは、計数機センサ７６を計数機１２に設けてもよいし、計数機センサ７６を設ける代わりに計数機１２自体が備えている玉計数センサからの信号を利用することもできる。また、所定時間（例えば３秒）以上パチンコ玉を検知したときに、計数機へのパチンコ玉投入ありと判定するように設定してもよい。
【００６８】
また、供給要求の判断においては、まずステップ１００において供給要求状態にあるかどうかのチェックを行い、供給要求状態フラグを立てた場合にステップ１０１において供給要求方向のチェックを行い、左方向供給要求フラグまたは右方向供給要求フラグを立てるようにしたので、左方向供給要求フラグまたは右方向供給要求フラグのみを供給要求信号としてチェックするだけで供給要求状態も併せて確認することができる。
しかし、これに限定することなく、供給要求状態フラグが立ったか否かに関わらず、供給要求方向のチェックも常時繰り返すようにしてもよく、この場合には供給要求状態フラグと左方向供給要求フラグまたは右方向供給要求フラグとの両方が立っているときを供給要求信号の出力状態とすればよい。
排出要求の判断においても、同様であり、排出要求状態フラグが立ったか否かに関わらず、供給要求方向のチェックも常時繰り返すようにした場合には、排出要求状態フラグと左方向排出要求フラグまたは右方向排出要求フラグとの両方が立っているときを排出要求信号の出力状態とすればよい。
【００６９】
なおまた、親島３０Ａ、３０Ｅでも子島３０Ｂ等と同様に排出受け可状態のチェックを行うようにしたが、親島は子島に比較して貯留タンク３４の容量が大きいため満杯になるまでの余裕があるから、隣接の子島から排出要求があったときは常に受け入れるようにしてもよい。
【００７０】
さらに、実施の形態では、自島がパチンコ玉の供給または排出を受けている状態は隣接の島のバランスシャッター４６の開制御信号をチェックすることにより検出するものとしたが、玉バランス通路５０上にパチンコ玉を検知するセンサを設置して検出するようにしてもよい。
また、島３０間のパチンコ玉の移動について、傾斜させた玉バランス通路５０を用いて、パチンコ玉の供給は供給を要求された側の島の制御装置が自島のバランスシャッター４６を開いて行い、パチンコ玉の排出は排出を要求した側の島の制御装置が自島のバランスシャッターを開いて行うものとしているが、島間のパチンコ玉の移動構造はこれに限定されず、その構造に応じて適宜の制御装置が具体的なパチンコ玉の移動実行を制御すればよい。
また、発明の玉排出装置を開閉式の排出シャッター３６としたが、貯留タンク３４内のパチンコ玉を所定の高さに揚げ、回収樋へ供給する構成とした小型揚送装置などでもよい。
【００７１】
実施の形態は、計数機１２を備える島では当該計数機に投入されたパチンコ玉が貯留タンク３４へ直接回収されるものとしたが、計数機１２が揚送装置３９を挟んで貯留タンク３４と反対側に設置され、計数機１２から回収樋３８を経て揚送装置３９へ送られるようにしてもよい。これによっても、揚送装置３９で揚送されるパチンコ玉を受けた上部タンクがあふれると、オーバーフロー管等を経て最終的に貯留タンク３４へ回収され、貯留タンクの貯留量が増大することになる。
【図面の簡単な説明】
【００７２】
【図１】実施の形態における島の構成を示す図である。
【図２】島列の接続構成を示す図である。
【図３】玉バランス通路５０の設置状態を示す部分図である。
【図４】第１の実施例にかかる子島における状態チェックの流れを示すメインフローチャートである。
【図５】供給要求状態チェックの詳細を示すフローチャートである。
【図６】供給要求方向選択の詳細を示すフローチャートである。
【図７】供給可状態チェックの詳細を示すフローチャートである。
【図８】排出要求状態チェックの詳細を示すフローチャートである。
【図９】排出要求方向選択の詳細を示すフローチャートである。
【図１０】排出受け可否チェックの詳細を示すフローチャートである。
【図１１】親島における供給可状態チェックの詳細を示すフローチャートである。
【図１２】親島における排出受け可否チェックの詳細を示すフローチャートである。
【図１３】貯留量が減少した場合のバランス制御の例を示す説明図である。
【図１４】貯留量が減少した場合のバランス制御の例を示す説明図である。
【図１５】貯留量が増大した場合のバランス制御の例を示す説明図である。
【図１６】貯留量が増大した場合のバランス制御の例を示す説明図である。
【図１７】第２の実施例における排出要求方向チェックの詳細を示すフローチャートである。
【図１８】第３の実施例における排出要求方向チェックの詳細を示すフローチャートである。
【符号の説明】
【００７３】
１０    島列
１２    計数機
３０    島
３０Ａ、３０Ｅ    島
３０Ｂ、３０Ｃ、３０Ｄ    子島
３２    パチンコ台
３４、３４Ａ、３４Ｂ、３４Ｃ、３４Ｄ、３４Ｅ    貯留タンク
３６    排出シャッター
３８、６８    回収樋
３９    揚送装置
４０    上部タンク
４４    補給樋
４２    オーバーフロー樋
４６    バランスシャッター
５０    玉バランス通路
７０、７０Ａ、７０Ｂ、７０Ｃ、７０Ｄ、７０Ｅ    制御装置
７２    通信線
７４    貯留量センサ
７６    計数機センサ
【図１】
0005337378.tif 000002
【図２】
0005337378.tif 000003
【図３】
0005337378.tif 000004
【図４】
0005337378.tif 000005
【図５】
0005337378.tif 000006
【図６】
0005337378.tif 000007
【図７】
0005337378.tif 000008
【図８】
0005337378.tif 000009
【図９】
0005337378.tif 000010
【図１０】
0005337378.tif 000011
【図１１】
0005337378.tif 000012
【図１２】
0005337378.tif 000013
【図１３】
0005337378.tif 000014
【図１４】
0005337378.tif 000015
【図１５】
0005337378.tif 000016
【図１６】
0005337378.tif 000017
【図１７】
0005337378.tif 000018
【図１８】
0005337378.tif 000019